(57)【特許請求の範囲】
【請求項１】
左右用の映像を振幅方向が同一方向の直線偏光で時分割によって交互に表示する立体映像表示装置であって、立体視において左右の視野を分離するためのメガネの視野を表示映像に同期して開閉するための視野開閉用赤外線同期信号放射器を備え、更に、視野開閉用赤外線同期信号放射器に赤外線用偏光フィルタを付設するか、又は偏光赤外線放射器を別に設置して、偏光赤外線を放射するものであって、該偏光赤外線は立体視時にメガネが傾いた場合であっても偏光である立体映像の表示光の偏光方向をメガネの偏光板の偏光方向に対し視野閉時において常に直交状態に入射させるべく補正する傾斜補正機能を備えた立体映像観賞用メガネの傾斜角検出器の傾斜角検出の基準として利用するためのものであって、該偏光赤外線の振幅方向を立体映像の表示光の振幅方向と一定関係に固定して該偏光赤外線を立体映像観賞用メガネの傾斜補正用の基準として利用することを可能に構成した立体映像表示装置。
【請求項２】
立体映像観賞用メガネの傾き補正用の傾斜角検出器であって、該傾斜角検出器は傾斜角検出用液晶セル・赤外線用偏光フィルタ・赤外線センサによって構成されており、その作用は、傾斜角検出用液晶セルに電圧を印加することによって、立体映像表示装置の偏光赤外線放射器から放射され傾斜角検出用液晶セルに入射した偏光赤外線の振幅方向を赤外線用偏光フィルタの偏光方向に対し直交状態にし、前記傾斜角検出用液晶セルに印加する電圧、即ち検査用電圧はメガネの傾きに応じて変化し、印加電圧を次第に上昇させ、偏光赤外線の振幅方向が赤外線用偏光フィルタの偏光方向と直交状態になった時点に於いて赤外線センサの出力が急速に低下して無出力状態になり、その時点の傾斜角検出用液晶セルへの印加電圧をサンプリングすることによって傾斜角を検出するように構成した傾斜角検出器。
【請求項３】
立体映像観賞用メガネの傾き補正用の傾斜角検出器であって、該傾斜角検出器は作動範囲を拡張するべく傾斜角検出用第一液晶セルと傾斜角検出用第二液晶セルを重ねて設置していて、その後側には赤外線用偏光フィルタ・赤外線センサの順で配列されており、前記傾斜角検出用第一液晶セルの電極と傾斜角検出用第二液晶セルの電極とを直列又は並列に結線して電圧を印加するか、又は傾斜角検出用第一液晶セルの傾斜角検出用第二液晶セルの電極に順次電圧を印加することによって立体映像表示装置の偏光赤外線同期信号放射器から放射された偏光赤外線は傾斜角検出用第一液晶セル及び傾斜角検出用第二液晶セルによって旋光調整されて透過し、印加電圧を次第に上昇させ、偏光赤外線の振幅方向が赤外線用偏光フィルタの偏光方向と直交状態になった時点に於いて赤外線センサの出力が急速に低下して無出力状態になり、その時点の液晶セルへの印加電圧をサンプリングすることによって傾斜角を検出するように構成した傾斜角検出器。
【請求項４】
立体映像の左右用の映像を振幅方向が同一方向の直線偏光で時分割によって交互に表示する方式の立体映像表示装置による立体映像を観賞するための立体映像観賞用メガネであって、メガネの左右の視野夫々に同一方向の偏光板を並設し、該偏光板夫々の前面に視野開閉用液晶セルと、メガネの傾きを補正するための傾斜補正用液晶セルとを重ねて設置し、前記視野開閉用液晶セルは立体映像表示装置に付設した赤外線同期信号放射器から放射される同期信号をメガネフレーム上に載置した赤外線同期信号受信器により受信した同期信号によって同期駆動して、立体映像に対して左右の視野を交互に開閉しており、同時に、メガネフレーム上には傾斜角検出用液晶セル・赤外線用偏光フィルタ・赤外線センサによって構成される傾斜角検出器を載置し、該傾斜角検出用液晶セルに電圧を印加することによって、立体映像表示装置の偏光赤外線放射器から放射され傾斜角検出用液晶セルに入射した偏光赤外線の振幅方向を赤外線用偏光フィルタの偏光方向に対し直交状態に制御し、前記傾斜角検出用液晶セルに印加する電圧、即ち検査用電圧はメガネの傾きに応じて変化し、印加電圧を次第に上昇させ、偏光赤外線の振幅方向が赤外線用偏光フィルタの偏光方向と直交状態になった時点に於いて赤外線センサの出力が急速に低下して無出力状態になり、その時点の傾斜角検出用液晶セルへの印加電圧をサンプリングすることによって傾斜角を検出し、該検出データによる制御電圧を前記メガネの視野上に設置した傾斜補正用液晶セルに印加して傾斜補正をすることによって観賞時にメガネを傾けた場合であっても、視野閉時の遮光状態が常に最大になるように制御してクロストークの発生を防止するように構成した立体映像観賞用メガネ。
【請求項５】
立体映像の左右用の映像を振幅方向が同一方向の直線偏光で時分割によって交互に表示する方式の立体映像表示装置による立体映像を観賞するための立体映像観賞用メガネであって、メガネの左右の視野夫々に同一方向の偏光板を並設し、該偏光板夫々の前面に視野開閉用液晶セルと、メガネが左に傾斜した場合に補正するための左傾斜補正用及びメガネが右に傾いた場合に補正するための右傾斜補正用液晶セルとの三枚の液晶セルを重ねた左右計六枚の液晶セルを設置して、立体映像表示装置に付設した赤外線同期信号放射器から放射される同期信号をメガネフレーム上に載置した赤外線同期信号受信器によって受信して視野開閉用液晶セルを同期駆動し、立体映像に対して左右の視野を交互に開閉して分離視するとともに、傾斜角検出用第一液晶セルと傾斜角検出用第二液晶セルを重ねて設置して、その後側に赤外線用偏光フィルタ・赤外線センサの順で配列して構成する傾斜角センサをメガネフレーム上に載置して、前記傾斜角検出用第一液晶セルの電極と傾斜角検出用第二液晶セルの電極とを直列又は並列に結線して電圧を印加するか、又は傾斜角検出用第一液晶セルと傾斜角検出用第二液晶セルの電極に順次電圧を印加することによって立体映像表示装置の偏光赤外線同期信号放射器から放射された偏光赤外線は傾斜角検出用第一液晶セル及び傾斜角検出用第二液晶セルによって旋光調整されて透過し、印加電圧を次第に上昇させ、偏光赤外線の振幅方向が赤外線用偏光フィルタの偏光方向と直交状態になった時点に於いて赤外線センサの出力が急速に低下して無出力状態になり、そして、その時点の液晶セルへの印加電圧をサンプリングすることによって傾斜角を検出し、該検出データによる制御電圧を前記メガネの視野上に重ねて設置した左傾斜補正用液晶セル又は右傾斜補正用液晶セルに印加して傾斜補正をすることによって観賞時にメガネを傾けた場合であっても、視野閉時の遮光状態が常に最大になるように制御してクロストークの発生を防止するように構成した立体映像観賞用メガネ。
【請求項６】
立体映像の左右用の映像を振幅方向が同一方向の直線偏光で時分割によって交互に表示する方式の立体映像表示装置による立体映像を観賞するための立体映像観賞用メガネであって、メガネの左右の視野夫々に同一方向の偏光板を並設し、該偏光板夫々の前面に視野開閉用液晶セルと、メガネの傾きを補正するための傾斜補正用液晶セルとを重ねて設置し、前記視野開閉用液晶セルは立体映像表示装置に付設した赤外線同期信号放射器から放射される同期信号をメガネフレーム上に載置した赤外線同期信号受信器により受信した同期信号によって同期駆動して立体映像に対して左右の視野を交互に開閉しており、同時に、左右互いに反対方向に傾斜する二つの赤外線用偏光板を設置し、更にその後側夫々に赤外線センサを設置した構造の傾斜角検出器をメガネフレーム上に載置し、メガネを傾けた場合に前記傾斜角検出器の二つの赤外線偏光板に於いて立体映像表示装置の偏光赤外線放射器から放射された偏光赤外線の透過量に差が生じ、その結果、前記二つの赤外線センサの電位差を傾斜角データとして出力し、該傾斜角データに応じた制御電圧を前記メガネの視野に設置した傾斜補正用液晶セルに印加して傾斜補正をすることによって観賞時にメガネを傾けた場合であっても、視野閉時の遮光状態が常に最大になるように制御してクロストークの発生を防止するように構成した立体映像観賞用メガネ。
【発明の詳細な説明】
【技術分野】
【０００１】
本発明は、立体映像の左右用の映像を同一方向の直線偏光で時分割によって交互に表示する立体映像表示装置及び、その表示された立体映像の左右の視野を分離して立体視するための立体映像観賞用メガネであり、特に直線偏光を使用する場合に起こり得るクロストークの防止を図ったものである。
【背景技術】
【０００２】
従来、立体映像の左右の視野を分離するためには、左右互いに直交する直線偏光、或いは左右互いに反対方向に旋回する円偏光によって重ねて表示（投影による）し、観賞には、表示方式に応じて、左右互いに直交する偏光メガネ、又は、互いに反対方向の円偏光メガネを使用して分離視していた。 しかし、近年、直視型ディスプレイ（特にＬＣＤ）の書き換え速度が高速化されるに伴って、直視型のＬＣＤＴＶ等においても立体映像の左右用の映像を時分割によって交互に表示し、視野分離用メガネ(例えば液晶シャッターメガネ等)によって左右の視野を分離して立体視することが試みられている。
【０００３】
しかし、液晶シャッターメガネは二枚の偏光板を重ねて使用するために透過光の減衰が著しく視野が暗くなる欠点がある。 その上、シャッターメガネは視野閉時において前面の偏光板を透過した光線(偏光光線)を後面の偏光板の方向に対して直交方向に導くことによって視野を交互に開閉する、そのシャッター作用のために開口時間が1/2以下になり更に光量が減衰する。また、この、シャッター作用は立体映像のみならず周囲の環境光をも断続するので商用周波数で点灯している照明下においてフリッカを生じるという問題も指摘されている。
【０００４】
また、直視型ディスプレイにおいては左右用の映像を同時に表示することが難しいために(但し、１ライン毎に異なる方向の偏光で表示するものは現存する）同一方向の直線偏光によって時分割表示し、観賞側のメガネを工夫して分離視することも提案されている。 しかし、直線偏光を用いる宿命として観賞者が頭を傾けた場合、クロストークの問題を避けることは困難である（例えば、特許文献１）。
【０００５】
更に、人の視力(視度)は個々の人々により、夫々異なっているが、現行の立体映像観賞用メガネには視度補正レンズを備えたものが無い。 そのために普段使用するメガネの上に立体映像メガネを重ねて使用しているのが現状である。  
【先行技術文献】
【特許文献】
【０００６】
【特許文献１】特開２００２−８２３０７
【発明の概要】
【発明が解決しようとする課題】
【０００７】
前記〔背景技術〕の欄で説明したように、同一画面上に時分割表示する方式の立体映像を観るための観賞用メガネの問題点は、液晶シャッターメガネに見られるように、
ａ：視野が暗い。
ｂ：フリッカを生ずる。
ことの上記二点である。特許文献１に記載されている方法は、液晶シャッターメガネにおいて生じる上記二点の問題は解消しているものの、新たに下記の問題が浮上する。
ｃ：  クロストークが発生する。
これは観賞者が頭を傾けた場合に生ずるもので、シャッターメガネが視野閉時において直交する二枚の偏光板によって完全に視野を遮蔽しているのに対し、特許文献１記載の方法はテレビに備えられた偏光板（ＬＣＤＴＶに於いては表示光自体が偏光であるので特許文献１のようにメガネの前面に新たに偏光板を設ける必要はない）と、メガネの偏光板とによって視野閉時の遮蔽を行っているので観賞者が頭を傾けた場合には、ＬＣＤからの偏光と、観賞用メガネの偏光板との直交状態が崩れるためであり、よってクロストークの発生を回避することができない。
【０００８】
そこで、時分割表示方式の立体映像を観賞する場合において、上記三つの問題を同時に解決して正常な立体視を可能にする立体映像観賞用メガネを開発すべき技術的課題が生じてくるのであり、本発明は、この課題を解決することを目的とする。
【課題を解決するための手段】
【０００９】
請求項１記載の発明は、左右用の映像を振幅方向が同一方向の直線偏光で時分割によって交互に表示する立体映像表示装置であって、立体視において左右の視野を分離するためのメガネの視野を表示映像に同期して開閉するための
視野開閉用赤外線同期信号放射器を備え、更に、視野開閉用赤外線同期信号放射器に赤外線用偏光フィルタを付設するか、又は偏光赤外線放射器を別に設置して、偏光赤外線を放射するものであって、該偏光赤外線は立体視時にメガネが傾いた場合であっても偏光である立体映像の表示光の偏光方向をメガネの偏光板の偏光方向に対し視野閉時において常に直交状態に入射させるべく補正する傾斜補正機能を備えた立体映像観賞用メガネの傾斜角検出器の傾斜角検出の基準として利用するためのものであって、該偏光赤外線の振幅方向を立体映像の表示光の振幅方向と一定関係に固定して該偏光赤外線を立体映像観賞用メガネの傾斜補正用の基準として利用することを可能に構成した立体映像表示装置を提供する。
【００１０】
この構成によれば、立体映像観賞用メガネの傾き補正の基準として偏光赤外線を利用することが可能となり、偏光赤外線を利用して傾斜補正をする立体映像観賞用メガネによって観賞すれば、観賞者が頭を傾けた場合であってもクロストークの発生を防止できる。
【００１１】
請求項２記載の発明は、立体映像観賞用メガネの傾き補正用の傾斜角検出器であって、該傾斜角検出器は傾斜角検出用液晶セル・赤外線用偏光フィルタ・赤外線センサによって構成されており、その作用は、傾斜角検出用液晶セルに電圧を印加することによって、立体映像表示装置の偏光赤外線放射器から放射され傾斜角検出用液晶セルに入射した偏光赤外線の振幅方向を赤外線用偏光フィルタの偏光方向に対し直交状態にし、前記傾斜角検出用液晶セルに印加する電圧、即ち検査用電圧はメガネの傾きに応じて変化し、印加電圧を次第に上昇させ、偏光赤外線の振幅方向が赤外線用偏光フィルタの偏光方向と直交状態になった時点に於いて赤外線センサの出力が急速に低下して無出力状態になり、その時点の傾斜角検出用液晶セルへの印加電圧をサンプリングすることによって傾斜角を検出するように構成した傾斜角検出器を提供する。
【００１２】
この構成によれば、広範囲（大きな角度）の傾斜角を正確に検出することができる。
【００１３】
請求項３記載の発明は、立体映像観賞用メガネの傾き補正用の傾斜角検出器であって、該傾斜角検出器は作動範囲を拡張するべく傾斜角検出用第一液晶セルと傾斜角検出用第二液晶セルを重ねて設置していて、その後側には赤外線用偏光フィルタ・赤外線センサの順で配列されており、前記傾斜角検出用第一液晶セルの電極と傾斜角検出用第二液晶セルの電極とを直列又は並列に結線して電圧を印加するか、又は傾斜角検出用第一液晶セルの傾斜角検出用第二液晶セルの電極に順次電圧を印加することによって立体映像表示装置の偏光赤外線同期信号放射器から放射された偏光赤外線は傾斜角検出用第一液晶セル及び傾斜角検出用第二液晶セルによって旋光調整されて透過し、印加電圧を次第に上昇させ、偏光赤外線の振幅方向が赤外線用偏光フィルタの偏光方向と直交状態になった時点に於いて赤外線センサの出力が急速に低下して無出力状態になり、その時点の液晶セルへの印加電圧をサンプリングすることによって傾斜角を検出するように構成した傾斜角検出器を提供する。
【００１４】
この構成によれば、前記請求項２記載の傾斜角検出器よりも作動範囲をさらに広範囲に拡張することができる。
【００１５】
請求項４記載の発明は、立体映像の左右用の映像を振幅方向が同一方向の直線偏光で時分割によって交互に表示する方式の立体映像表示装置による立体映像を観賞するための立体映像観賞用メガネであって、メガネの左右の視野夫々に同一方向の偏光板を並設し、該偏光板夫々の前面に視野開閉用液晶セルと、メガネの傾きを補正するための傾斜補正用液晶セルとを重ねて設置し、前記視野開閉用液晶セルは立体映像表示装置に付設した赤外線同期信号放射器から放射される同期信号をメガネフレーム上に載置した赤外線同期信号受信器により受信した同期信号によって同期駆動して、立体映像に対して左右の視野を交互に開閉しており、同時に、メガネフレーム上には傾斜角検出用液晶セル・赤外線用偏光フィルタ・赤外線センサによって構成される傾斜角検出器を載置し、該傾斜角検出用液晶セルに電圧を印加することによって、立体映像表示装置の偏光赤外線放射器から放射され傾斜角検出用液晶セルに入射した偏光赤外線の振幅方向を赤外線用偏光フィルタの偏光方向に対し直交状態に制御し、前記傾斜角検出用液晶セルに印加する電圧、即ち検査用電圧はメガネの傾きに応じて変化し、印加電圧を次第に上昇させ、偏光赤外線の振幅方向が赤外線用偏光フィルタの偏光方向と直交状態になった時点に於いて赤外線センサの出力が急速に低下して無出力状態になり、その時点の傾斜角検出用液晶セルへの印加電圧をサンプリングすることによって傾斜角を検出し、該検出データによる制御電圧を前記メガネの視野上に設置した傾斜補正用液晶セルに印加して傾斜補正をすることによって観賞時にメガネを傾けた場合であっても、視野閉時の遮光状態が常に最大になるように制御してクロストークの発生を防止するように構成した立体映像観賞用メガネを提供する。
【００１６】
この構成によれば、広範囲（大きな角度）の傾斜角を正確に検出することができるとともに、立体映像表示装置の表示映像に対するメガネの傾きは傾斜角検出器によって自動的に検出され、その検出値に応じて傾斜補正用液晶セルによって表示映像が旋光調整され傾斜状態は自動的に水平状態と同等な状態に補正される。
【００１７】
請求項５記載の発明は、立体映像の左右用の映像を振幅方向が同一方向の直線偏光で時分割によって交互に表示する方式の立体映像表示装置による立体映像を観賞するための立体映像観賞用メガネであって、メガネの左右の視野夫々に同一方向の偏光板を並設し、該偏光板夫々の前面に視野開閉用液晶セルと、メガネが左に傾斜した場合に補正するための左傾斜補正用及びメガネが右に傾いた場合に補正するための右傾斜補正用液晶セルとの三枚の液晶セルを重ねた左右計六枚の液晶セルを設置して、立体映像表示装置に付設した赤外線同期信号放射器から放射される同期信号をメガネフレーム上に載置した赤外線同期信号受信器によって受信して視野開閉用液晶セルを同期駆動し、立体映像に対して左右の視野を交互に開閉して分離視するとともに、傾斜角検出用第一液晶セルと傾斜角検出用第二液晶セルを重ねて設置して、その後側に赤外線用偏光フィルタ・赤外線センサの順で配列して構成する傾斜角センサをメガネフレーム上に載置して、前記傾斜角検出用第一液晶セルの電極と傾斜角検出用第二液晶セルの電極とを直列又は並列に結線して電圧を印加するか、又は傾斜角検出用第一液晶セルと傾斜角検出用第二液晶セルの電極に順次電圧を印加することによって立体映像表示装置の偏光赤外線同期信号放射器から放射された偏光赤外線は傾斜角検出用第一液晶セル及び傾斜角検出用第二液晶セルによって旋光調整されて透過し、印加電圧を次第に上昇させ、偏光赤外線の振幅方向が赤外線用偏光フィルタの偏光方向と直交状態になった時点に於いて赤外線センサの出力が急速に低下して無出力状態になり、そして、その時点の液晶セルへの印加電圧をサンプリングすることによって傾斜角を検出し、該検出データによる制御電圧を前記メガネの視野上に重ねて設置した左傾斜補正用液晶セル又は右傾斜補正用液晶セルに印加して傾斜補正をすることによって観賞時にメガネを傾けた場合であっても、視野閉時の遮光状態が常に最大になるように制御してクロストークの発生を防止するように構成した立体映像観賞用メガネを提供する。
【００１８】
この構成によれば、傾斜補正範囲を広範囲に拡張でき、前記請求項２記載の傾斜角検出器よりも作動範囲をさらに広範囲に拡張することができる。
【００１９】
請求項６記載の発明は、立体映像の左右用の映像を振幅方向が同一方向の直線偏光で時分割によって交互に表示する方式の立体映像表示装置による立体映像を観賞するための立体映像観賞用メガネであって、メガネの左右の視野夫々に同一方向の偏光板を並設し、該偏光板夫々の前面に視野開閉用液晶セルと、メガネの傾きを補正するための傾斜補正用液晶セルとを重ねて設置し、前記視野開閉用液晶セルは立体映像表示装置に付設した赤外線同期信号放射器から放射される同期信号をメガネフレーム上に載置した赤外線同期信号受信器により受信した同期信号によって同期駆動して立体映像に対して左右の視野を交互に開閉しており、同時に、左右互いに反対方向に傾斜する二つの赤外線用偏光板を設置し、更にその後側夫々に赤外線センサを設置した構造の傾斜角検出器をメガネフレーム上に載置し、メガネを傾けた場合に前記傾斜角検出器の二つの赤外線偏光板に於いて立体映像表示装置の偏光赤外線放射器から放射された偏光赤外線の透過量に差が生じ、その結果、前記二つの赤外線センサの電位差を傾斜角データとして出力し、該傾斜角データに応じた制御電圧を前記メガネの視野に設置した傾斜補正用液晶セルに印加して傾斜補正をすることによって観賞時にメガネを傾けた場合であっても、視野閉時の遮光状態が常に最大になるように制御してクロストークの発生を防止するように構成した立体映像観賞用メガネを提供する。
【００２０】
この構成によれば、他の立体映像観賞用メガネに比し、立体映像観賞用メガネの構造をより簡素化することができる。
【発明の効果】
【００２７】
請求項１記載の発明は、左右用の映像を同一方向の偏光で時分割によって交互に表示する方式の立体映像表示装置に偏光赤外線放射器を設置するか、又は同期用赤外線放射器に赤外線用偏光フィルタを付設するのみの簡易な構造にてクロストークを防止する立体映像表示装置を具現化できる。そして、偏光赤外線を立体映像観賞用メガネの傾斜補正用の基準として利用することによって電気光学的作用によって正確な傾斜角検出及び傾斜補正を実現できるという効果がある。
【００２８】
請求項２記載の発明は、メガネを大きく傾けた場合であっても正確な傾斜角を迅速に検出することができる。したがって、広範囲の補正が安定して維持できるという効果がある。また、メカニカル方式の傾斜角検出器に見られえる製造時及び使用時の微調整が不要で、なお、余分な揺れ等もないという効果もある。
【００２９】
請求項３記載の発明は、傾斜角検出用としての傾斜角検出用第一液晶セルと傾斜角検出用第二液晶セルとを重ねて設置し制御電圧を直列又は並列に印加するか、又は傾斜角検出用第一液晶セルの電極と傾斜角検出用第二液晶セルの電極に順次電圧を印加することによって前記請求項２記載の発明の効果に加えて更に傾斜角検出の作動範囲を広範囲（９０°以上）に拡張できるという効果がある。
【００３０】
請求項４記載の発明は、メガネに使用する偏光板は一枚のみであるので光量の減衰が少なく、その上、周囲の環境光は非偏光であるのでメガネの作用は周囲の環境光には及ぶことはなく、周囲の照明光等の照度が低下せず立体ディスプレイを見ながら行う作業においてメガネを掛け外ししなくても済むという効果がある。また、商用周波数で点灯する放電灯による照明の下でもフリッカ（Ｆｌｉｃｋｅｒ）の発生がないという効果もある。さらに、メガネを大きく傾けた場合であっても正確な傾斜角を迅速に検出することができるところ、広範囲の補正が安定して維持できるという効果があるとともに、メカニカル方式の傾斜角検出器に見られえる製造時及び使用時の微調整が不要であり、加えて、余分な揺れ等もないという効果もある。
【００３１】
請求項５記載の発明は、メガネが左に傾斜した場合の左傾斜補正用液晶セルとメガネが右に傾いた場合の右傾斜補正用液晶セルとを備え、傾き方向によって別々の液晶セルを使用することによって傾斜補正の作業範囲を一層広範囲ンに拡張することができるという効果があると共に、傾斜角検出用としての傾斜角検出用第一液晶セルと傾斜角検出用第二液晶セルとを重ねて設置し制御電圧を直列又は並列に印加するか、又は傾斜角検出用第一液晶セルの電極と傾斜角検出用第二液晶セルの電極に順次電圧を印加することによって前記請求項２記載の発明の効果に加えて更に傾斜角検出の作動範囲を広範囲（９０°以上）に拡張できるという効果がある。
【００３２】
請求項６記載の発明は、立体映像の表示光に直線偏光を使用してもクロストークが発生しないという効果を奏する。また、本請求項に係る発明では、立体映像観賞用メガネの左右の視野夫々に同一方向の偏光板を並設し、該偏光板夫々の前面に視野開閉用液晶セルと、メガネの傾きを補正するための傾斜補正用液晶セルとを重ねて設置し、これ等視野開閉用液晶セルと傾斜補正用液晶セルは、それぞれ、単独で作動させることができるから、傾斜補正の作動範囲は狭くならず、広範な作動範囲が設定することができ、実践上の便宜をもたらす。
【図面の簡単な説明】
【００３６】
【図１】本発明の立体ＴＶの斜視図。
【図２】本発明の立体映像観賞用メガネの正面図。
【図３】本発明の立体映像観賞用メガネの構成を示す解説図。
【図４】本発明の立体映像観賞用メガネの作動状態を示す解説図。
【図５】本発明の立体映像観賞用メガネの他の実施例を示す解説図。
【図６】本発明の立体映像観賞用メガネの更に他の実施形態を示す解説図。
【図７】（ａ）本発明の立体映像観賞用メガネの他実施形態を示す正面図。                    （ｂ）上記、図７(ａ)の傾斜角検出器の構成を示す解説図。
【図８】視度補正レンズホルダを付設した立体映像観賞用メガネの実施形態を示す正面図。
【発明を実施するための形態】
【００３７】
本発明の概念を図によって説明する。図１の立体映像表示装置を示し、該立体映像表示装置は、例えばＬＣＤ立体テレビ（以下、「立体ＴＶ」という）から成り、ディスプレイ14上に左右用の映像を時分割で交互に表示している。同時に、立体ＴＶ10の本体11上に設置されている偏光赤外線同期信号放射器12は表面に赤外線用偏光フィルタ13を付設し、偏光赤外線同期信号を発している。
【００３８】
図２は、本発明の立体映像観賞用メガネの一実施例で、該立体映像観賞用メガネ20の正面図である。メガネの左右の視野には図示の如く、前記立体ＴＶ10のディスプレイ14の偏光方向に対し偏光方向が45°傾斜した左右同一の偏光板23Ｒ及び23Ｌが並置されている。 更に、各偏光板23Ｒ,23Ｌの前面に視野開閉用液晶セル21Ｒ,21Ｌ及び傾斜補正用液晶セル22Ｒ,22Ｌの二枚の液晶セルを重ねて設置している。また、メガネフレーム上には赤外線同期信号受信器27及び傾斜角検出器（傾斜角検出用液晶セル24、赤外線用偏光フィルタ25及び赤外線センサ26）設けられている。
【００３９】
図３は、図２に図示の立体映像観賞用メガネの構成を示す解説図であり、前記立体ＴＶ10の赤外線用偏光フィルタ13を通して放射された偏光赤外線による同期信号（同期信号は偏光であることは不要）を図示の赤外線同期信号受信器37によって受信し、受信した同期信号をコントローラＣ１に送り制御電圧に変換して視野開閉用液晶セル31Ｒ，31Ｌに印加することによって立体映像観賞用メガネ30の視野を、前記立体ＴＶ10のディスプレイ14上に時分割で交互に表示される表示映像に対し同期して開閉している。
【００４０】
また、観賞者が頭を傾けた場合には、前記視野開閉のため旋光調整された表示映像の振幅方向と偏光板33Ｒ，33Ｌの直交状態が崩れクロストークが発生する状態になるが、 図３に図示の本発明の傾斜角検出器（傾斜角検出用液晶セル34、赤外線用偏光フィルタ35、赤外線センサ36で構成される）傾斜補正用液晶セル32Ｒ,32Ｌによる構成はメガネの傾斜を補正してクロストークの発生を防止すべく提案するものであり、前記立体ＴＶ10の赤外線用偏光フィルタ13から発せられた偏光赤外線同期信号を傾斜角検出用液晶セル34で旋光調整し、赤外線用偏光フィルタ35で検光して傾斜角を検出するもので、その作用を説明すれば、先ず、コントローラＣ２によって傾斜角検出用液晶セル液晶セル34に定期的（例えば一秒当たり数回程度）に電圧を印加する。印加電圧を次第に上昇させた場合、傾斜角検出用液晶セル34による旋光状態が変化し、傾斜角検出用液晶セル34を透過した偏光赤外線の振幅方向は赤外線用偏光フィルタ35の偏光方向に直交状態になる。この直交状態になった場合に赤外線センサ36の出力が急激に低下して無出力状態になることで傾斜角を検知する。この時点のコントローラＣ２による傾斜角検出用液晶セル34への印加電圧をサンプリングすることによって傾斜角を検出する。
【００４１】
上記の検出した傾斜補正用の傾斜角データはコントローラＣ２によって制御用電圧に変換され傾斜補正用液晶セル32Ｒ,32Ｌに印加される。観察者が頭を傾けた場合、視野閉時に於いての直交状態が崩れ遮光されるはずの光線が偏光板33Ｒ，33Ｌを僅かにすり抜けてクロストークを発生することになる。しかし、本発明によれば、このクロストーク即ち漏光は、傾斜補正用液晶セル32Ｒ，32Ｌによって補正され偏光板33Ｒ，33Ｌに対して完全直交状態になり視野閉時の遮光状態は常に最大に維持される。
【００４２】
図４は、立体映像観賞用メガネ30の旋光状態の説明図で、例えば、前記図１の立体テレビのディスプレイ14による表示光を水平方向に振幅する偏光とすれば、図４において図示のメガネの左右の視野に入射する表示光は、左の視野に於いて図示のスイッチが開状態のため視野開閉用液晶セル41Ｌに電圧が印加されず、水平方向に振幅する表示光は視野開閉用液晶セル41Ｌ内で90°旋光されて透過し立て(上下)方向に振幅する。一方、右の視野に於いては図示のスイッチが閉状態のため視野開閉用液晶セル41Ｒに電圧が印加され表示光は水平方向に振幅する状態のままで視野開閉用液晶セル41Ｒを透過する。左右のスイッチは実際には前記赤外線同期信号によって表示光に同期して自動的に交互に開閉するように設定されているために、視野開閉用液晶セル41Ｒ又は41Ｌを透過後の表示光は左右の視野間に於いて常に互いに直交状態になっている。（但し、立体テレビのＬＣＤ上に時分割によって交互に表示される左右用映像の切り替えと同時に立体映像観賞用メガネの左右の視野も切り替えた場合には、立体テレビの左右用映像が干渉する場合がある。この干渉を回避するために、立体テレビの左右用映像を切り替える時点に於いて、メガネの左右の視野を一定期間（立体テレビの左右用の映像が切り替わる時間よりも僅かに永い期間）同時に閉にする必要がある。従って瞬間的には直交状態で無い場合もある）。また、メガネの視野の切り替え時に立体テレビのバックライトを消灯する方法も実施されている。なお、表示光の振幅方向を示す矢印は、各液晶セルの手前側に於ける振幅方向を実線で表し、向こう側における振幅方向を破線で表している。
【００４３】
上述のように視野開閉用液晶セル41を透過した左右用の表示光の振幅方向は互いに直交状態になって傾斜補正用液晶セル42に入射する。例えば図４に図示するように、左の視野に於いて立て（上下）方向に振幅する状態で入射する。このとき右の視野に於いては水平（左右）方向に振幅する状態で入射する。傾斜補正用液晶セル42は例えばＴＮモード液晶で、その作動範囲（角度）を90°とすれば、傾斜補正用液晶セル42には90°の1/2の45°の旋光状態になるように常にバイアス電圧を印加する。そして前記、検出した傾斜角データをコントローラＣ２によって制御用電圧に変換してバイアス電圧に加減して傾斜補正用液晶セル42を駆動する。傾斜補正用液晶セル42Ｒ，42Ｌは並列（左右同一方向に且つ同時に）駆動されているため左右の視野の表示光は傾斜補正用液晶セル42を透過後も互いに直交状態は維持されている。例えば、左の視野に於いて視野開閉用液晶セル41Ｌを透過した表示光は上下方向に振幅し、傾斜補正用液晶セル42Ｌによって45°旋光された（バイアス電圧によって45°に維持されている）状態で偏光板43Ｌに向かう。偏光板43Ｌは、偏光方向が傾斜補正用液晶セル42Ｌを透過した表示光の振幅方向と平行な45°に固定されているため表示光は偏光板43Ｌを透過して視野開状態になる。一方、右の視野に於いて傾斜補正用液晶セル42Ｒを透過した表示光の振幅方向は左の視野に対し直交状態になっているために偏光方向が左の偏光板43Ｌと平行状態に配設されている右の偏光板43Ｒに対して直交状態になるために偏光板43Ｒを透過できず視野閉状態になる。
【００４４】
以上のように本発明の図３に図示の立体映像観賞用メガネ30は、図１に図示の立体テレビ10の立体映像の表示光に対してシャッター作用を果たす。しかし、定常光（周囲の環境光）は非偏光であり、進行方向に対し垂直を為すあらゆる方向に振幅しているため視野開閉用液晶セル31Ｒ，31Ｌ及び傾斜補正用液晶セル32Ｒ,32Ｌのどちらにも影響されない。 その為、シャッター作用による光量低下がない（従来の液晶シャッターメガネは環境光にもシャッター作用があり左右交互に開閉させれば左右夫々の視野の光量は1/2以下になる）。また、周囲の環境光にシャッター作用が無いことは照明光との干渉によるフリッカを生じ無いという効果もある。その上、偏光板を一枚しか使わないため立体ＴＶのみならず周囲の環境も含めた全視野が明るく見える。従って、作業を伴う立体視において極めて有利である。
【００４５】
なお、振幅方向が水平方向の立体映像表示光が視野開閉用液晶セル31Ｒ，31Ｌを透過した場合、左右の視野において透過光の振幅方向は水平方向か又は上下方向の何れかの方向になる。即ち、視野は、開か或いは閉の二値になる。二値以外の中間値は視野が暗くなるか又はクロストークが発生するので好ましくない。よって視野開閉用液晶は応答速度の速いことが必要で、このような用途にはΠ型（ＯＣＢ）液晶、または強誘電性液晶（ＳＳＦＬＣＤ,ＰＳＳ−ＬＣＤ）等が適している。
【００４６】
上述の説明は、メガネが水平に置かれている場合であって、メガネを傾けた状態に於いて偏光板33Ｒ，33Ｌもメガネと一緒に傾いて前記45°とは異なる傾斜角度になるために視野閉時の直交状態が崩れ、このままではクロストークが発生することになる。そこでメガネが傾いた場合には前記段落〔００４０〕〜〔００４４〕項に説明のとおり、メガネに載置した傾斜角センサによって傾き角を検出し傾き補正用制御電圧をバイアス電圧に加減して視野閉時に偏光板33Ｒ，33Ｌに向かう表示光の振幅方向を偏光板33Ｒ，33Ｌの偏光方向に対して常に直交状態になるように補正することによって視野閉時の遮光状態は常に最大に維持される。
【００４７】
なお、メガネの傾斜補正は傾斜角を検出して傾斜補正用液晶セル32Ｒ，32Ｌによる旋光状態を調整して補正を行っているが、傾斜角検出用液晶セル34に検査用電圧を印加する（コントローラＣ２による）のは秒間数回程度の頻度で行えばよい。これは、人が頭を傾ける場合、然程速い速度で頭を振らないからである。しかし、傾斜角検出は間欠的に行っているために傾斜角検出用液晶セル34に検査用電圧が印加されていない期間であっても傾斜補正用液晶セル32Ｒ，32Ｌの補正状態は、ある一定の状態にホールドしておかなければならない。そして、傾斜角検出時に更新された補正状態を、その次の傾斜角検出時までホールドし、この作動状態を常に繰り返し続行することで立体映像観賞用メガネがどの方向に傾いた場合であっても視覚的傾斜状態は常に水平状態に維持されクロストークの発生は防止される。
【００４８】
本発明の図３にて説明の実施例に於いて視野開閉用液晶セル31Ｒ，31Ｌの後ろ側に傾斜補正用液晶セル32Ｒ，32Ｌを配設しているが、どちらの液晶セルを前後に配設しても差し支えない。
【００４９】
また、傾斜補正用液晶セル32Ｒ，32Ｌには、速い応答速度は要求されない。 それは、前述したように、人が頭を傾けるときの速度は液晶の応答速度に比べれば非常に遅いからである。従って従来のＴＮモード液晶で十分である。また、ＴＮモード液晶の作動範囲（旋光の）は90°であるため、頭を右に傾けた場合と、左に傾けた場合との中間位置を水平位置にすれば、傾斜補正用液晶セル32はメガネを水平にした状態で中間値の45°の旋光状態になるように電圧を印加（バイアス電圧）すればよい。
【００５０】
なお、傾斜角検出用液晶セル34と傾斜補正用液晶セル32Ｒ，32Ｌとで印加電圧と旋光状態の特性が比例しない場合があるが、その場合、コントローラＣ２内のパラメータによって補正値を加減したプログラムによって旋光角を正確に制御できる。
【００５１】
図５は立体映像観賞用メガネの他の実施形態で、図５に図示の立体映像観賞用メガネ50のフレーム上には傾斜角検出用液晶セル54、赤外線用偏光フィルタ55、赤外線センサ56によって構成される傾斜角検出器が載置され、該傾斜角検出器による検出データと同期信号受信器57による同期信号データ（傾斜角検出方法及び同期信号受信の方法自体は前記請求項２によるものと同一に構成されている）とをコントローラＣによって演算し、視野開閉用兼傾斜補正用液晶セル51Ｒ，51Ｌを同期駆動し、立体映像表示装置10の表示光に対し視野を交互に開閉して立体視するとともに視野閉時には視野開閉用兼傾斜補正用液晶セル51Ｒ，51Ｌを透過した立体映像表示装置の表示光が偏光板53Ｒ，53Ｌの偏光方向に対し常に直交状態になるように制御することによって視野閉時の遮光状態が常に最大となるようにしてクロストークの発生を防止するように構成したものである。
【００５２】
上記構成の立体映像観賞用メガネの視野開閉用兼傾斜補正用液晶セル51Ｒ，51Ｌの材料として高速応答性は求められるがＳＳＦＬＣＤは使用できない。それは、ＳＳＦＬＣＤは作用が急峻で中間値を表示できない(傾斜補正ができない)からである。なお、この請求項３の構成による立体映像観賞用メガネは前記請求項２記載のものに比して部品点数が少なくできるものの傾き補正範囲は多少狭くなる。
【００５３】
前述の本発明の図３の傾斜補正用液晶セル32Ｒ，32Ｌ及び図５の液晶セル51Ｒ，51Ｌに補正用電圧を印加するために必要な傾斜角検出器として、重力センサ（振り子等の角度を検出し最終的に電気的出力に変換する方式や、液面を使用して液面の変化を最終的に電気的出力に変換する方式）やジャイロセンサ（例えば圧電ジャイロ等）を利用できる。これらのセンサは単独でメガネの傾き角度を検出できるので、傾き補正用の基準となる偏光赤外線は不要である。 従って、その場合には図１に図示の立体テレビ10の赤外線用偏光フィルタ13も不要となる。
【００５４】
図６は、本発明の立体映像観賞用メガネの他の実施形態で、メガネの左右の視野に偏光板63を並置している。 偏光板63の前面には互いにネジレ方向が反対の左傾斜補正用液晶セル62及び右傾斜補正用液晶セル68を重ねて設置している。更にその前面に視野開閉用液晶セル61を設置している。図１の立体テレビ10の偏光赤外線同期信号放射器12から放射された赤外線同期信号を同期信号受信器67によって受信し、コントローラＣ1によって同期信号を制御電圧に変換して前記視野開閉用液晶セル61Ｒ，61Ｌに印加することによって左右の視野を開閉する。この場合の左右の映像表示光の状態は前記図４よる説明の視野開閉用液晶セル41Ｒ，41Ｌを透過した場合と等しい状態である。この状態において左右の映像表示光は常に互いの振幅方向が直交状態になっている。その左右互いに直交状態に振幅している偏光の表示光が左傾斜補正用液晶セル62Ｒ，62Ｌ及び右傾斜補正用液晶セル68Ｒ，68Ｌを透過するが、該左傾斜補正用液晶セル62Ｒ，62Ｌ及び右傾斜補正用液晶セル68Ｒ，68Ｌに電圧を無印加の場合、表示光は左傾斜補正用液晶セル62Ｒ,62Ｌによって一旦旋光されるがネジレ方向が反対の右傾斜補正用液晶セル68Ｒ，68Ｌによって戻されるため、左傾斜補正用液晶セル62Ｒ，62Ｌ及び右傾斜補正用液晶セル68Ｒ，68Ｌは設置されていない状態と同等になり、偏光板63Ｒ，63Ｌによって検光され立体テレビ10のディスプレイ14に時分割表示される左右用の映像が分離される。  
【００５５】
上述の状態に於いて、もし、メガネを傾けた場合、視野閉時の表示光の振幅方向と偏光板63Ｒ，63Ｌの偏光方向の直交状態が崩れクロストークが発生する恐れがある。このような場合、例えば、左傾斜補正用液晶セル62Ｒ，62Ｌ及び右傾斜補正用液晶セル68Ｒ，68ＬにＴＮモード液晶を使用し、メガネを左に傾けた場合の補正を左傾斜補正用液晶セル62Ｒ，62Ｌで行い、メガネを右に傾けた場合を右傾斜補正用液晶セル68Ｒ，68Ｌで行うことによって左右夫々の方向に90°計180°の傾き補正ができる。なお、この場合、左傾斜補正用液晶セル62Ｒ，62Ｌ及び右傾斜補正用液晶セル68Ｒ，68Ｌにバイアスを印加することは不要となる。また、このように二枚のＴＮモード液晶を重ねて使用する場合に替えてＳＴＮモード液晶を使用すれば一枚の液晶セルで済むが、メガネの姿勢が水平状態に於いてバイアスを印加する必要とＳＴＮモード液晶の特徴である色変位の問題及び傾きが急峻で微細な調整が難しい点とを考慮すればＴＮモード液晶を二枚重ねて利用すべきである。
【００５６】
上記の左右計180°の傾斜補正を行うには、180°の傾斜角検出が必要で、図６の傾射角検出器として図示の斜角検出用第一液晶セル64及び傾斜角検出用第二液晶セル69も、一枚のＳＴＮモード液晶にすれば180°旋光が可能であり、傾斜角検出用であれば色変位の問題は不問であるが、ＳＴＮモード液晶は傾きが急峻のため微細な調整が難しいため不向きである。そこで、図示の傾斜角検出用第一液晶セル64及び傾斜角検出用第二液晶セル69を図示の状態に重ねるとともに傾斜角検出用第一液晶セル64と傾斜角検出用第二液晶セル69の電極を直列状態又は並列状態に結線してコントローラＣ2によって電圧を印加する。印加電圧を次第に上昇させることによって二枚に重ねた傾斜角検出用第一液晶セル64及び傾斜角検出用第二液晶セル69を透過する偏光赤外線は０〜180°まで旋光調整される。よって、傾斜角検出用第一液晶セル64と傾斜角検出用第二液晶セル69とを直列又は並列に結線して電圧を印加し、図示の赤外線センサ66の出力が急激に低下して無出力状態になった時点の電圧サンプリングすることによって傾斜角を検出して、前記図３の構成による立体映像観賞用メガネの傾斜角検出方法と同等な作用で左右90°計180°の傾斜角を検出できる。当然ながら、傾斜角検出用第一液晶セル64と傾斜角検出用第二液晶セル69を直列に結線した場合の印加電圧は並列に結線した場合の2倍の値になる（旋光作用が同等の場合に於いて）。また、傾斜角検出用第一液晶セル64又は傾斜角検出用第二液晶セル69の何れかの片方に電圧を印加して、その印加電圧が規定の最大値に達した状態（超えた）とき、もう一方の傾斜角検出用液晶セルに電圧が印加されるように順次印加しても直列又は並列結線と同様の作用を為す。
【００５７】
なお、メガネの視野に設置する左傾斜補正用液晶セル62Ｒ，62Ｌ及び右傾斜補正用液晶セル68Ｒ,  68Ｌは水平状態から左又は右に傾いた場合に於いて、左傾き用又は右傾き用として別々に動作するように設定されているためバイアスを掛ける必要はない。
【００５８】
図７は本出願人が先に出願した特願２００９−２７４００２（立体映像観賞用メガネ）に記載した内容であり、図７（ａ）のメガネの左右の視野には立て(上下)方向の偏光板72が設置されている。 その前面には液晶セル71Ｒ，71Ｌが取り付けてある。図７（ｂ）は立体テレビジョンに対する表示映像と同期してメガネの視野を開閉するための同期信号受信器73の詳細図であり、傾斜角を検出する一方法である。以下にその作用を説明する。  図１の立体映像表示装置10に付設した赤外線同期信号放射器12の放射面の赤外線用偏光フィルタ13によって同期用赤外線は偏光赤外線になっている。同期信号受信器73の赤外線用偏光フィルタ74Ｒ及び74Ｌの偏光方向はメガネが水平に置かれている場合、図７（ａ）に図示の如く左右対称に傾く状態で配置されている。この場合、赤外線センサ75Ｒと75Ｌの出力は等しくなる。この状態からメガネが左右何れかの方向に傾いた場合に赤外線センサ75Ｒと75Ｌとの出力に差が生じ、両者の出力差と傾きの関係を予め調べておくことによって傾斜角度が検出できる。
【００５９】
図８は、立体映像観賞用メガネに補助的に付設する視度補正レンズ及び取り付け部の説明図である。人は個々によって、夫々視力（視度）が異なっている。通常の生活においても視度補正用メガネを常用する人も多い。また、見る対象物においても、例えばパソコンのような小画面を近くで視る場合と、比較的大きなテレビジョンを、やや遠い距離で視る場合とがあり、対称物の距離に応じてメガネを替える必要も生ずる。特に、老眼鏡を使う人は見る対象物の距離によって補正レンズのジオプターを変える（普段使うメガネを交換する）必要がある。よって、立体映像観賞用メガネ、即ち、視野分離用メガネに於いても、人個々によって、視度補正メガネを使用する必要があるが、実際の状況は、普段使用しているメガネの上に立体映像観賞用メガネを被せて使用しているのが現状である。しかし、メガネを重ねて使用するのは不安定であり、また、煩わしいため個々の人々に合わせた視度補正レンズを組み込んだ個人用の立体映像観賞用メガネを用意することも考えられるが、個々の人々に合わせて視度補正レンズを固定した場合の問題は、個人用の立体映像観賞用メガネを他人用に転用できない点にある（視度が合わない）。また、個人使用においても観る対称物（ＴＶかＰＣかの）によって立体映像観賞用メガネを変えなければならないという問題もある。
【００６０】
上記問題を解決する最も良い方法は、立体映像観賞用メガネの前面又は後面にレンズホルダ用スロットを設け必要に応じて視度補正レンズを適宜挿入することである。図８は立体映像観賞用メガネの前面に視度補正レンズを保持するためのホルダ（スロット）でメガネフレームと一体に成型(図示は本体部分は省略している)されていて、図示のホルダ部80には視度補正レンズ81Ｒ，81Ｌを挿入するスロット84が設けられている。スロット84に挿入された視度補正レンズ81Ｒ,81Ｌはリーフスプリング82によってスロット84に押圧され、同時に一度挿入された視度補正レンズ81Ｒ，81Ｌはリーフスプリング82の形状とスプリング効果によって、メガネを逆さまにした場合であっても容易に脱落しない構造になっている。
【００６１】
また、視度補正レンズ81は左右端が円弧形に形成されている。この円弧形状はスロット84への挿入を容易にしている。更に上下端を直線状に形成することによって、視度補正レンズ81Ｒ，81Ｌの回転を防止している(機能的には下端のみで良い)。この回転防止作用は視度補正レンズに乱視用を必要とする場合に非常に効果的である。何故ならば、乱視補正は特定の方向(角度)に補正が行われるため視度補正レンズを回転方向に特定の位置で固定する必要からである。図示のツマミ83は、例えば、アルミニュームを折り畳んで挟むか、又は接着した構造であって、スロット84への着脱時に指との摩擦力を増強することと、レンズの汚染防止のみならず、このツマミ83部にマーキングすることによってレンズを識別することができる。
【００６２】
また、本発明の立体映像観賞用メガネは、定常光には反応しないので立体映像を観察しつつ行う作業において作業環境視野が明るく見えるためモニタを見る以外の作業時にもメガネを外して見る必要がない。この構成の立体映像観賞用メガネの作用効果は絶大である。
【００６３】
なお、本発明は、本発明の精神を逸脱しない限り種々の改変を為すことができ、そして、本発明が該改変されたものにも及ぶことは当然である。
【産業上の利用可能性】
【００６４】
本発明による立体映像観賞用メガネは特にＬＣＤ製のテレビジョン又はパーソナルコンピュータに時分割表示する立体映像の左右の視野を分離視して立体視するための視野分離用めがねであって、一般的な立体映像観賞から、各種のシュミレイション、教育訓練、検査、医療、宣伝等の立体映像を観賞する用途において今後不可欠である。
【符号の説明】
【００６５】
10          立体映像表示装置  
11          立体映像表示装置本体
12          偏光赤外線同期信号放射器
13          赤外線用偏光フィルタ
14          ディスプレイ
20          立体映像観賞用メガネ
21Ｒ，21Ｌ    視野開閉用液晶セル
22Ｒ, 22Ｌ    傾斜補正用液晶セル
23Ｒ，23Ｌ    偏光板
24          傾斜角検出用液晶セル
25          赤外線用偏光フィルタ
26          赤外線センサ
27          同期信号受信器
Ｃ1         視野開閉用コントローラ
Ｃ2         傾斜補正用コントローラ
30          立体映像観賞用メガネ
31Ｒ，31Ｌ    視野開閉用液晶セル
32Ｒ，32Ｌ    傾斜補正用液晶セル
33Ｒ，33Ｌ    偏光板
34          傾斜角検出用液晶セル
35          赤外線用偏光フィルタ
36          赤外線センサ
37          同期信号受信機
41Ｒ，41Ｌ    視野開閉用液晶セル
42Ｒ，42Ｌ    傾斜補正用液晶セル
43Ｒ，43Ｌ    偏光板
50          立体映像観賞用メガネ
Ｃ          視野開閉及び傾斜補正用コントローラ  
51Ｒ，51Ｌ    視野開閉用兼傾斜補正用液晶セル
53Ｒ，53Ｌ    偏光板
54          傾斜角検出用液晶セル  
55          赤外線用偏光板
56          赤外線センサ
57          同期信号受信器
60          立体映像観賞用メガネ
61Ｒ，61Ｌ    視野開閉用液晶セル
62Ｒ，62Ｌ    左傾斜補正用液晶セル
63Ｒ，63Ｌ    偏光板
64          傾斜角検出用第一液晶セル
65          赤外線用偏光フィルタ
66          赤外線センサ
67          同期信号受信器
68Ｒ，68Ｌ    右傾斜補正用液晶セル
69          傾斜角検出用第二液晶セル
71Ｒ，71Ｌ    視野開閉用兼傾斜補正用液晶セル
72Ｒ，72Ｌ    偏光板
73          赤外線同期信号受信器
74Ｒ，74Ｌ    赤外線用偏光板
75Ｒ，75Ｌ    赤外線センサ
80          レンズホルダ
81Ｒ，81Ｌ    視度補正レンズ
82          リーフスプリング
83          ツマミ
84          スロット部
【要約】      （修正有）【課題】左右用の映像を同一方向の偏光で時分割によって交互に表示する立体映像を分離視するとともに観賞者が頭を傾けて観た場合であっても左右の視野がクロストークすることを防止する。【解決手段】立体映像観賞用メガネ３０には左右の視野に偏光板３３Ｒ、３３Ｌを並設し、その前面夫々に視野開閉用液晶セル３１Ｒ、３１Ｌと傾斜補正用液晶セル３２Ｒ、３２Ｌとを重ねて設置し、立体映像表示装置の赤外線同期信号放射器から放射された偏光赤外線同期信号をメガネフレーム上に載置した同期信号受信器３７によって受信し、視野開閉用液晶セルを同期駆動し、立体映像表示装置の表示光に対して、左右の視野を交互に開閉するとともに、メガネフレーム上に載置した傾斜角検出器によって検出した傾斜角データによってメガネの傾きに応じて制御した電圧を傾斜補正用液晶セルに印加する。【選択図】図３【図１】
0004804586.tif 000002
【図２】
0004804586.tif 000003
【図３】
0004804586.tif 000004
【図４】
0004804586.tif 000005
【図５】
0004804586.tif 000006
【図６】
0004804586.tif 000007
【図７】
0004804586.tif 000008
【図８】
0004804586.tif 000009